(57)【特許請求の範囲】
【請求項１】
家具の天板上に配置される家具保護用のプレートと、このプレートの上面に当接して押さえる家具押さえ用下部と、天井面に当接させる天井当接用上部と、前記家具押さえ用下部と天井当接用上部との間に配され、上下伸縮可能で任意位置で固定可能な伸縮部とを備え、前記伸縮部は、底面に開口部が形成された外側パイプと、前記開口部を介して外側内部に進退自在に挿通される内側パイプとを有し、外側パイプの下端部にはバネ受けキャップが設けられ、前記内側パイプの外周には、前記バネ受けキャップに当接する巻きバネが巻回され、この巻きバネの上端には内側パイプの径よりも径大な停止リングが配され、前記家具押さえ用下部には、その下面に粘着剤が塗布され、前記粘着剤によって家具押さえ用下部が前記プレートに固着される構造とし、前記家具押さえ用下部と前記内側パイプとの間、前記天井当接用上部と前記外側パイプとの間の少なくともいずれか一方に、振動追従バネが配されていることを特徴とする家具転倒防止具。
【請求項２】
前記天井当接用上部の上端には、上端面に複数の環状溝が形成された軟質の滑り止め用キャップが嵌着されていることを特徴とする請求項１記載の家具転倒防止具。
【請求項３】
前記外側パイプの周壁の対向する箇所には、係止用スリットと操作用スリットが形成されており、前記停止リングには舌片と突片とが形成され、前記舌片が前記外側パイプの周壁の操作用スリットから外方に突出され、前記突片が外側パイプの係止用スリットに係入され、前記舌片が突片を支点として操作用スリット内を上下に移動自在とされていることを特徴とする請求項１又は２に記載の家具転倒防止具。
【発明の詳細な説明】
【０００１】
【産業上の利用分野】
本発明は、家具の天板と天井面との間に配され、地震時などにおける家具の転倒を防止することが可能な家具転倒防止具に関する
【０００２】
【従来の技術】
従来、この種の家具転倒防止具としては、例えば、図８，図９，図１０に示すものがある。
この従来の家具転倒防止具ａは、家具の天板に当接して押さえる家具押さえ用下部ｂと、天井面に当接させる天井当接用上部ｃと、前記家具押さえ用下部ｂと天井当接用上部ｃとの間に配され、天井当接用上部ｃの高さを調整可能で径大な外側パイプｄと、この外側パイプｄ内に上下移動可能に配入された径小且つ軟質な内側パイプｅと、外側パイプｄに装設され、内側パイプｅを外側パイプｄに対して上下移動して天井当接用上部ｃの高さを調整したときに、その先端部を内側パイプｅの周壁の適宜位置に強制的に突き破って螺入することによって内側パイプｅと外側パイプｄとを固定状態とする蝶ネジｆと、前記家具押さえ用下部ｂと内側パイプｅの下部との間に配されたネジ式の高さ微調整機構ｇとが設けられたものである。
また、他の高さ調整可能な構造として、内側パイプに高さ方向に所定のピッチで穴を開設し、高さを調整した後に、外側パイプから内側パイプの対応する位置の穴にピンを差し込んでその高さで固定するようにしたものがある。
【０００３】
【発明が解決しようとする課題】
ところが、前者の家具転倒防止具ａにおいては、家具押さえ用下部ｂを直接家具の天板に当接するようにしていたので、地震時の衝撃によって、家具の天板が家具押さえ用下部ｂで突き破られることがあり、家具に損傷を与えるという問題があった。
更に、内側パイプｅを外側パイプｄに対して上下移動して天井当接用上部ｃの高さを調整したときに、蝶ネジｆの先端部を内側パイプｅの周壁の適宜位置に強制的に突き破って螺入することによって内側パイプｅと外側パイプｄとを固定状態とする構造であるために、複数回の高さ調整によって、内側パイプｅの周壁に複数箇所の穴が穿設されることとなり、軟質の内側パイプｅが強度的に弱くなるという問題があった。
【０００４】
また、内側パイプｅを蝶ネジｆの先端部で突き破るときに、蝶ネジｆをねじ込むための強力な力を必要とし、しかもこの作業を指先で行わなくてはならないために、この作業が行い難いという問題があった。
しかも、内側パイプｅを蝶ネジｆの先端部で突き破って固定する構造であるために、複数回内側パイプｅを蝶ネジｆの先端部で突き破って固定すると、このネジがきかなくなり、使用不可能なものとなるという問題があった。
更に、高さを調節した後に、蝶ネジｆをねじ込んで固定してしまうので、地震の時の縦揺れにより、外れてしまう場合があるという問題があった。
【０００５】
後者の高さ調整可能な家具転倒防止具においては、所定のピッチで穴が開設されていて、所定の間隔で高さを調整できるが、高さの微調整を行うことができないという問題があった。
更に、内側パイプの高さ方向に所定のピッチで複数の穴が開設されているために、内側パイプの強度が弱いという問題があった。
本発明は、上記従来の問題に鑑みてなされたものであって、家具に損傷を与えることがなく、取付けが簡単で、高さ調整が用意にでき、特に高さの微微調整を簡単に行うことができ、家具を頑丈に保持することができて地震時などの振動、特に縦揺れに対して家具の転倒を確実に防止することができる家具転倒防止具を提供することを目的としている。
【０００６】
本発明は、上記目的を達成するためになされたものであって、請求項１の家具転倒防止具は、家具の天板上に配置される家具保護用のプレートと、このプレートの上面に当接して押さえる家具押さえ用下部と、天井面に当接させる天井当接用上部と、前記家具押さえ用下部と天井当接用上部との間に配され、上下伸縮可能で任意位置で固定可能な伸縮部とを備え、前記伸縮部は、底面に開口部が形成された外側パイプと、前記開口部を介して外側内部に進退自在に挿通される内側パイプとを有し、外側パイプの下端部にはバネ受けキャップが設けられ、前記内側パイプの外周には、前記バネ受けキャップに当接する巻きバネが巻回され、この巻きバネの上端には内側パイプの径よりも径大な停止リングが配され、前記家具押さえ用下部には、その下面に粘着剤が塗布され、前記粘着剤によって家具押さえ用下部が前記プレートに固着される構造とし、前記家具押さえ用下部と前記内側パイプとの間、前記天井当接用上部と前記外側パイプとの間の少なくともいずれか一方に、振動追従バネが配されていることを特徴とするものである。
請求項２の家具転倒防止具は、前記天井当接用上部の上端には、上端面に複数の環状溝が形成された軟質の滑り止め用キャップが嵌着されていることを特徴とするものである。
請求項３の家具転倒防止具は、前記外側パイプの周壁の対抗する箇所には、係止用スリットと操作用スリットが形成されており、前記停止リングには舌片と突片とが形成され、前記舌片が前記外側パイプの周壁の操作用スリットから外方に突出され、前記突片が外側パイプの係止用スリットに係入され、前記舌片が突片を支点として操作用スリット内を上下に移動自在とされていることを特徴とするものである。
【０００９】
【作用】
請求項１の家具転倒防止具によれば、家具の天板の上面に家具保護用のプレートを配置し、伸縮部の上下長さを調整してから家具押さえ用下部をプレートの上面に載置し、天井当接用上部を天井面に当接する。家具の天板と家具押さえ用下部との間に配されるプレートによって家具を保護することができて、家具の天板に損傷を与えることがない。また、取付けが簡単で、高さ調整が用意にでき、地震発生時に、家具を頑丈に保持でき、家具の転倒を防ぐことができる。
更に、家具押さえ用下部の下面に塗布された粘着剤によって、この家具押さえ用下部が家具保護用のプレートに固着されるので、位置ずれすることがない。特に、地震発生時の横揺れに対しても、位置ずれすることがなく、家具を頑丈に保持することができる。
また、家具押さえ用下部と内側パイプとの間、前記天井当接用上部と外側パイプとの間の少なくともいずれか一方に配された振動追従バネによって、地震発生時の上下方向の振動に追従してこの振動が吸収されるので、特に縦揺れに対して充分対処することができ、弾性をもって家具を保持することができるとともに、家具から外れることがない。
請求項２の家具転倒防止具によれば、天井当接用上部の上端に嵌着され、上端面に複数の環状溝が形成された軟質の滑り止め用キャップが天井面に当接するので、天井面への接触面積を大きくすることができ、地震発生時に家具転倒防止具が天井面に対して滑って倒れてしまうことがなく、家具を確実に保持することができ、家具の転倒をより一層確実に防ぐことができる。
請求項３の家具転倒防止具によれば、伸縮部の上下長さ即ち高さを調節するには、高さを高くするときは、内側パイプに対して外側パイプを上方向に引き延ばすようにすると、外側パイプに係止された停止リングが内側パイプの外周面を摺動して上側に移動し、内側パイプに対して外側パイプが上方向に移動して高さを高くすることができる。一方、高さを低くするときには、停止リングの舌片を指で巻きバネの付勢力に抗して操作用スリット内で下側へ押し下げて、この停止リングに対して内側パイプをフリーな状態とし、この状態で、外側パイプを内側パイプに対して下方向に移動してその高さを低くし、この高さ調整が済んだ後に、停止リングの舌片から指を離すと、この停止リングが巻きバネの付勢力によって、その突片を支点として停止リングの舌片側が上向きに移動し、停止リングのリング穴の内端面が内側パイプの外周面に強固に接して、停止リングが内側パイプに固定されるので、外側パイプも内側パイプに対して高さ調整位置で強固に固定される。
【００１４】
【実施例】
以下、本発明に係る家具転倒防止具の実施例について、図面を参照しつつ説明する。
図１は実施例の家具転倒防止具１の高さ位置を調整して固定した状態の外観を示し、図２は高さ位置調整前の状態の外観を示し、図３は高さ位置を固定した状態の内部構造を示し、図４は高さ位置調整可能な状態の内部構造を示し、図５は高さ位置調整のための停止リングの外観を示し、図６は２つの家具転倒防止具１によって家具Ｋを固定した状態を示し、図７は天井面Ｔと家具Ｋと家具転倒防止具１の位置関係を示している。
【００１５】
図１，図２に示すように、本実施例の家具転倒防止具１は、家具Ｋの天板ＫＴ（図６，図７参照）上に配置される家具保護用のプレート２と、このプレート２の上面に当接して押さえる家具押さえ用下部３と、天井面Ｔに当接させる天井当接用上部４と、家具押さえ用下部３と天井当接用上部４との間に配され、上下伸縮可能で任意位置で固定可能な伸縮部５とを備えている。
プレート２は、図１，図２に示すように、家具Ｋの天板ＫＴの角部上面に当接させる平面視略四辺形の平板部２ａと、この平板部２ａの近接する２辺から下向きに屈曲され、家具Ｋの背板と側板の外面に当接させる垂下短片２ｂ，２ｃとで形成され、家具Ｋの角端部に位置される角部は所定寸法切り落とされた形状とされ、この角部の対角線状の他方の角部は円弧形状に形成されている。
【００１６】
このプレート２は、鉄、ステンレス、硬質の合成樹脂、固い木材などの材質のものが好適に用いられる。
この発明においては、プレート２を備える家具転倒防止具は全て好適に使用できる。
図示する実施例の家具転倒防止具１においては、家具押さえ用下部３の下端部は、肉厚且つ径大に形成され、天井当接用上部４の上端部も、肉厚且つ径大に形成されているが、この発明はこれに限定されない。
【００１７】
家具押さえ用下部３には、その下面に粘着剤６が塗布され、この粘着剤６によって家具押さえ用下部３がプレート２に固着される構造となっている。
この粘着剤６には、不使用時に、剥離紙（図示略）が貼着されており、使用時にこの剥離紙を剥がしてプレート２に貼着するようになっている。
この発明においては、粘着剤６を塗布したものに限定されず、場合によっては、粘着剤６を塗布せず、プレート２の上面に家具押さえ用下部３を直接載置したものも、勿論含まれる。
【００１８】
天井当接用上部４の上端には、上端面７ａに複数の環状溝７ｂが形成された軟質の滑り止め用キャップ７が嵌着されているが、この発明はこれに限定されず、例えば、滑り止め用キャップ７を用いることなく、天井当接用上部４の上面を直接天井面Ｔに当接するようにしてもよい。
伸縮部５は、底面に開口部が形成された外側パイプ５Ａと、開口部を介して外側内部に進退自在に挿通される内側パイプ５Ｂとを有し、外側パイプ５Ａの下端部には厚筒状のバネ受けキャップ５Ｃが嵌め込まれており、且つ周壁５ａの対向する箇所には、係止用スリット５ｂと操作用スリット５ｃが形成されている。
【００１９】
内側パイプ５Ｂの外周には、バネ受けキャップ５Ｃに当接する巻きバネ５Ｄが巻回され、この巻きバネ５Ｄの上端には内側パイプ５Ｂの径よりも径大な停止リング５Ｅが配され、この停止リング５Ｅには舌片５ｄと突片５ｅとが形成され（図５参照）、舌片５ｄが外側パイプ５Ａの周壁５ａの操作用スリット５ｃから外方に突出され、突片５ｅが外側パイプ５Ａの係止用スリット５ｂに係入され、舌片５ｄが突片５ｅを支点として操作用スリット５ｃ内を上下に移動自在となっている。
この発明においては、伸縮部５の構造は、上記したものに限定されず、例えば、ネジ式の構造としてよい。
【００２０】
また、天井当接用上部４と外側パイプ５Ａとの間に、振動追従バネ５Ｆが配されている。
この振動追従バネ５Ｆは、天井当接用上部４の中央部に形成された上下貫通孔５ｆの外側近傍箇所に、下面から上部に向けて形成された深環状凹部５ｇ内に配設され、その下端部が、外側パイプ５Ａの上端部の内面に嵌着され、深環状凹部５ｇ内に上下移動可能に嵌入された補強筒体５ｈの上端部に当接されている。
この発明においては、振動追従バネ５Ｆを配したものに限定されず、例えば、他の弾性体を用いてもよく、また、振動追従バネ５Ｆが使用されていないものでもよい。
【００２１】
補強筒体５ｈの下端部は、天井当接用上部４の下端部外周に形成された環状係止爪４ａに係止されて抜け止めされている。
また、内側パイプ５Ｂの下部は、家具押さえ用下部４の上部に形成された深凹部４ａに嵌入固定されている。
この発明においては、上記構造に限定されず、例えば、天井当接用上部４と外側パイプ５Ａとが一体に構成され、家具押さえ用下部３と内側パイプ５Ｂとが一体に構成されて、伸縮部５を構成する外側パイプ５Ａと内側パイプ５Ｂとが互いに上下移動可能に嵌設されているとともに、任意位置で固定可能な構成としてもよい。
【００２２】
次に、この発明の一実施例としての上記家具転倒防止具１による家具Ｋを固定するときの操作（作用）について、図１，図２，図６，図７を参照しつつ説明する。
先ず、プレート２を家具Ｋの背側の２箇所の角部に配置し、高さを高く調整する場合は、内側パイプ５Ｂに対して外側パイプ５Ａを上方向に引き延ばすようにすると、外側パイプ５Ａに係止された停止リング５Ｅが内側パイプ５Ｂの外周面を摺動して上側に移動し、内側パイプ５Ｂに対して外側パイプ５Ａが上方向に移動して高さを高くすることができる。
【００２３】
一方、高さを低く調整する場合は、家具転倒防止具１の停止リング５Ｅの舌片５ｄを下向きに指で押して、この停止リング５Ｅと内側パイプ５Ｂの固定状態を解除し、天井面Ｔからプレート２までの間隔に合わして内側パイプ５Ｂに対して外側パイプ５Ａを下方向に移動してその高さを調節し、調節後に、停止リング５Ｅの舌片５ｄから指を離して、巻きバネ５Ｄの付勢力によって、停止リング５Ｅの舌片５ｄ側を上向きに復帰させて、内側パイプ５Ｂと外側パイプ５Ａとを停止リング５Ｅを介して固定状態とする。
【００２４】
次に、剥離紙を剥がしてから、天井当接用上部４を振動追従バネ５Ｆの付勢力に抗して下側に若干押し下げて、天井面Ｔとプレート２の間に、この家具転倒防止具１を配設し、家具押さえ用下部３の下端部の，粘着剤６を家具Ｋの天板ＫＴの角部に配設されているプレート２の上面に貼着させて家具転倒防止具１を位置決めし、天井当接用上部４の押し下げを解除して、この天井当接用上部４の上端の滑り止め用キャップ７の上面を天井面Ｔに当接させて家具Ｋを固定する。
【００２５】
図７に示すように、天井板ＴＩは、通常、天井裏に配設され、一部が吊りボルトＴＢで支持された複数本の桟木Ｓに取付けられ、壁部Ｃに当接する部分にも桟木Ｓ１が配設されており、この桟木Ｓ１の下方には、天井面Ｔに回り縁Ｍが取付けられている。
そこで、家具転倒防止具１の配置位置は、この桟木Ｓ１と回り縁Ｍとが取付けられている箇所が望ましく、この位置に配置することによって、天井面Ｔの構造的に頑強な箇所に家具転倒防止具１の天井当接用上部４に嵌着された滑り止め用キャップ７が当接するので、家具Ｋを頑丈に固定保持することができる。
【００２６】
尚、本発明の家具転倒防止具は、上記実施例の家具転倒防止具１に限らず、例えば、伸縮部がネジ式に構成されているものにも適用できるものである。
したがつて、操作（作用）も上記実施例における作用に限らず、例えば、伸縮部がネジ式に構成されているものであれば、伸縮部の一部を手で回転させることによつて、高さ位置調製を行なうようにすればよい。
また、上記実施例では、振動追従バネ５Ｅを、天井当接用上部４と内側パイプ５Ｂとの間に配した構造のものについて説明したが、これに限らず、振動追従バネ５Ｅを、家具押さえ用下部３と外側パイプ５Ａとの間に配設してもよい。
【００２７】
【発明の効果】
以上説明したように、請求項１の家具転倒防止具は、家具の天板上に配置される家具保護用のプレートと、このプレートの上面に当接して押さえる家具押さえ用下部と、天井面に当接させる天井当接用上部と、前記家具押さえ用下部と天井当接用上部との間に配され、上下伸縮可能で任意位置で固定可能な伸縮部とを備え、前記伸縮部は、底面に開口部が形成された外側パイプと、前記開口部を介して外側内部に進退自在に挿通される内側パイプとを有し、外側パイプの下端部にはバネ受けキャップが設けられ、前記内側パイプの外周には、前記バネ受けキャップに当接する巻きバネが巻回され、この巻きバネの上端には内側パイプの径よりも径大な停止リングが配され、前記家具押さえ用下部には、その下面に粘着剤が塗布され、前記粘着剤によって家具押さえ用下部が前記プレートに固着される構造とし、前記家具押さえ用下部と前記内側パイプとの間、前記天井当接用上部と前記外側パイプとの間の少なくともいずれか一方に、振動追従バネが配されていることを特徴とするものであるであるから、以下に述べる効果を奏する。
【００２８】
即ち、家具の天板と前記家具押さえ用下部との間に家具保護用のプレートを配しているから、プレートによって家具を保護することができて、家具の天板に損傷を与えることがない。更に、家具押さえ用下部を家具の天板上に配置したプレートの上に載置し、伸縮部の上下長さを調整し天井当接用上部を天井面に当接してから、その長さ位置で固定するので、取付けが簡単で、高さ調整が用意にでき、地震発生時に、家具を頑丈に保持でき、家具の転倒を防ぐことができる。
また、家具押さえ用下部に、その下面に、粘着剤が布され、前記粘着剤によって家具押さえ用下部が前記プレートに固着される構造としたから、粘着剤によって、家具押さえ用下部が家具保護用のプレートに固着されるので、位置ずれすることがなく、地震発生時の横揺れに充分対処することができる。
更に、家具押さえ用下部と内側パイプとの間、前記天井当接用上部と外側パイプとの間の少なくともいずれか一方に、振動追従バネが配されているから、振動追従バネによって、地震発生時の上下方向の振動に追従してこの振動が吸収されるので、特に縦揺れに対して充分対処することができ、弾性をもって家具を保持することができるとともに、家具転倒防止具が家具から外れることがなく、家具をより一層頑丈に固定保持することができる。
【００２９】
請求項２の家具転倒防止具は、天井当接用上部の上端には、上端面に複数の環状溝が形成された軟質の滑り止め用キャップが嵌着されているから、複数の環状溝が形成された軟質の滑り止め用キャップが天井面に当接して天井面への接触面積を大きくすることができ、地震発生時に家具転倒防止具が天井面に対して滑って倒れてしまうことがなく、家具を確実に保持することができ、家具の転倒をより一層防ぐことができる。
【００３０】
請求項３の家具転倒防止具は、伸縮部の上下長さ即ち高さを調節するときに、高さを高くするときは、内側パイプに対して外側パイプを上方向に引き延ばすようにすると、外側パイプに係止された停止リングが内側パイプの外周面を摺動して上側に移動し、内側パイプに対して外側パイプが上方向に移動して高さを高くすることができ、高さを低くするときには、停止リングの舌片を指で下側へ押し下げて、この停止リングに対して内側パイプをフリーな状態とし、この状態で、外側パイプを内側パイプに対して上下移動してその高さを調整し、高さ調整後に、停止リングの舌片から指を離し、停止リングが巻きバネの付勢力で突片を支点として停止リングの舌片側が上向きに移動し、停止リングのリング穴の内端面が内側パイプの外周面に強固に接して、停止リングが内側パイプに固定され、外側パイプも内側パイプに対して高さ調整位置で強固に固定されるので、高さを高く調整するときには、内側パイプに対して外側パイプを上方向に引延し、高さを低くするときには、指で停止リングの舌片を操作して内側パイプに対して外側パイプを下方向へ押しさげるだけで、高さ調整と固定とを行え、操作を簡単に行える。
【図面の簡単な説明】
【図１】本発明に係る家具転倒防止具の実施例の家具転倒防止具の高さ位置調整後の外観を示す斜視図である。
【図２】実施例の家具転倒防止具の高さ位置調整前の外観を示す斜視図である。
【図３】実施例の家具転倒防止具のプレートを除く高さ位置調整前の内部構造を示す一部破断した正面図である。
【図４】実施例の家具転倒防止具のプレートを除く高さ位置調整可能な状態の内部構造を示す一部破断した正面図である。
【図５】高さ位置調整のための停止リングの外観を示す斜視図である。
【図６】２つの家具転倒防止具によって家具Ｋを固定した状態を示す斜視図である。
【図７】天井面と家具と家具転倒防止具の位置関係を示す縦断面図である。
【図８】従来の家具転倒防止具の斜視図である。
【図９】従来の家具転倒防止具の高さ位置調整前の一部破断した正面図である。
【図１０】従来の家具転倒防止具の高さ位置調整後の一部破断した正面図である。
【符号の説明】
Ｋ              家具
ＫＴ            天板
Ｔ              天井面
１              家具転倒防止具
２              プレート
３              家具押さえ用下部
４              天井当接用上部
５              伸縮部
５Ａ            外側パイプ
５Ｂ            内側パイプ
５Ｃ            バネ受けキャップ
５Ｄ            巻きバネ
５Ｅ            停止リング
５Ｆ            振動追従バネ
５ｂ            係止用スリット
５ｃ            操作用スリット
５ｄ            舌片
５ｅ            突片
【図１】
0003573301.tif 000002
【図２】
0003573301.tif 000003
【図３】
0003573301.tif 000004
【図４】
0003573301.tif 000005
【図５】
0003573301.tif 000006
【図６】
0003573301.tif 000007
【図７】
0003573301.tif 000008
【図８】
0003573301.tif 000009
【図９】
0003573301.tif 000010
【図１０】
0003573301.tif 000011